(57)【要約】      （修正有）【課題】本考案は、使用者の心身を癒すことができる多機能フェイスマスク及びセットを提供する。【解決手段】多機能フェイスマスク１０及びセットは、フェイスマスク本体１８が使用者の顔面に敷設され、フェイスマスク本体１８には、相互に分離した第一導電線１１と第二導電線１２が取り付けられ，マスクによって多機能フェイスマスク１０の第一導電線１１と第二導電線１２に電源を導入すると、使用者の顔面を選択的に電子マッサージすることができ、これにより使用者が顔面の手入れをする際に、使用者の心身を癒す目的を達成することができる。【選択図】図１
0003213429.tif 000002
【実用新案登録請求の範囲】
【請求項１】
フェイスマスク本体と、第一導電線と、第二導電線と、からなる多機能フェイスマスクであって、前記フェイスマスク本体は、使用者の顔面に敷設して用いられ、前記第一導電線は、前記フェイスマスク本体に取り付けられ、前記第二導電線は、前記第一導電線と相互に分離してフェイスマスク本体に取り付けられ、以上の構造により、前記第一導電線と前記第二導電線に電源を導入すると、選択的に前記使用者の顔面を電子マッサージすることができることを特徴とする、多機能フェイスマスク。
【請求項２】
前記第一導電線と前記第二導電線は、前記使用者の顔面の二つの攅竹がある位置からそれぞれ延伸して成る導電性シリコン或いは導電性塗料であることを特徴とする、請求項１に記載の多機能フェイスマスク。
【請求項３】
前記第一導電線と前記第二導電線は、前記使用者の顔面の二つの攅竹がある位置から左右に向かってそれぞれ延伸した後、さらにそれぞれ上下に向かって延伸し、顔面の輪郭に沿った二つの弧状の線をなすとともに、前記二つの弧状の線は、相互に交差する複数のほぼ平行な線と連結されることを特徴とする、請求項１に記載の多機能フェイスマスク。
【請求項４】
前記第一導電線と前記第二導電線は、前記使用者の顔面の二つの攅竹がある位置から上下に向かってそれぞれ延伸した後、さらにそれぞれ左右に向かって延伸し、相互に交差する複数のほぼ円弧の線となることを特徴とする、請求項１に記載の多機能フェイスマスク。
【請求項５】
前記フェイスマスク本体には、綿生地、ニット生地、不織布から一つが選ばれることを特徴とする、請求項１に記載の多機能フェイスマスク。
【請求項６】
前記フェイスマスク本体にはさらに、遠赤外線を放射することができる材料が埋め込まれることを特徴とする、請求項１に記載の多機能フェイスマスク。
【請求項７】
前記フェイスマスク本体にはさらに、顔面の皮膚に有効な美容液が全体に分布されることを特徴とする、請求項１に記載の多機能フェイスマスク。
【請求項８】
前記フェイスマスク本体表面にはさらに、外観のデザインを美しくできる模様が印刷されることを特徴とする、請求項１に記載の多機能フェイスマスク。
【請求項９】
フェイスマスク本体と、第一導電線と、第二導電線と、マスクと、からなる多機能フェイスマスクセットであり、前記フェイスマスク本体は、使用者の顔面に敷設して用いられ、前記第一導電線は、前記フェイスマスク本体に取り付けられ、前記第二導電線は、前記第一導電線と相互に分離して前記フェイスマスク本体に取り付けられ、前記マスクは、前記第一導電線と前記第二導電線に電源を導入すると、選択的に前記使用者の顔面を電子マッサージすることができることを特徴とする、多機能フェイスマスクセット。
【請求項１０】
前記第一導電線と前記第二導電線は、前記使用者の顔面の二つの攅竹がある位置からそれぞれ延伸して成る導電性シリコン或いは導電性塗料であることを特徴とする、請求項９に記載の多機能フェイスマスクセット。
【請求項１１】
前記第一導電線と前記第二導電線は、前記使用者の顔面の二つの攅竹がある位置から左右に向かってそれぞれ延伸した後、さらにそれぞれ上下に向かって延伸し、顔面の輪郭に沿った二つの弧状の線をなすとともに、前記二つの弧状の線は、相互に交差する複数のほぼ平行な線と連結されることを特徴とする、請求項９に記載の多機能フェイスマスクセット。
【請求項１２】
前記第一導電線と前記第二導電線は、前記使用者の顔面の二つの攅竹がある位置から上下に向かってそれぞれ延伸した後、さらにそれぞれ左右に向かって延伸し、相互に交差する複数のほぼ円弧の線となることを特徴とする、請求項９に記載の多機能フェイスマスクセット。
【請求項１３】
前記フェイスマスク本体には、綿生地、ニット生地、不織布から一つが選ばれることを特徴とする、請求項９に記載の多機能フェイスマスクセット。
【請求項１４】
前記フェイスマスク本体にはさらに、遠赤外線を放射することができる材料が埋め込まれることを特徴とする、請求項９に記載の多機能フェイスマスクセット。
【請求項１５】
前記フェイスマスク本体にはさらに、顔面の皮膚に有効な美容液が全体に分布されることを特徴とする、請求項９に記載の多機能フェイスマスクセット。
【請求項１６】
前記フェイスマスク本体の表面にはさらに、外観のデザインを美しくできる模様が印刷されることを特徴とする、請求項９に記載の多機能フェイスマスクセット。
【請求項１７】
前記マスクは、マスク本体と、電源制御装置と、からなり、前記マスク本体には、前記第一導電線と前記第二導電線にそれぞれ対応する少なくとも二つの電極が設けられ、前記電源制御装置は、前記電極に接続され、前記第一導電線と前記第二導電線に導入した前記電源の型式と強度を制御するのに用いられることを特徴とする、請求項９に記載の多機能フェイスマスクセット。
【請求項１８】
前記マスク本体にはさらに、前記電源制御装置に接続される複数の発光ダイオードが取り付けられることを特徴とする、請求項１７に記載の多機能フェイスマスクセット。
【請求項１９】
前記マスク本体にはさらに、複数の北投石が埋め込まれることを特徴とする、請求項１７に記載の多機能フェイスマスクセット。
【請求項２０】
前記マスク本体は、アクリル或いはＡＢＳプラスチック材料によって製作されて成ることを特徴とする、請求項１７に記載の多機能フェイスマスクセット。
【考案の詳細な説明】
【技術分野】
【０００１】
本考案は、フェイスマスクに関し、特に、電子マッサージ機能を備える多機能フェイスマスク及びセットに関する。
【背景技術】
【０００２】
美しさを好むことは人の常であり、人々はいつでも美しい外見を有する為に努力する。しかし、現代の生活環境はますます悪化する傾向にあり、定期的なフェイスマスクを使用した手入れの方式は、美意識の高い人々に更に普及している。
【０００３】
最近では、スキンケア市場が発売しているフェイスマスク製品は多く、効能で言うと、主に保湿滋養フェイスマスク、クレンジングフェイスマスク、ニキビケアフェイスマスク、美白フェイスマスク等がある。美意識の高い人々にとって、フェイスマスクの利便性と効果は人々を満足させるが、忙しい社会環境において、生活におけるストレスは人々に様々な痛みや疲労をもたらす。日常的に使用するフェイスマスク製品をさらに進歩させ、顔面の手入れの際に、さらに使用者の心身を癒すフェイスマスクの選択肢を提供することで、使用者が使用の選択をしやすくすることができる。
【考案の概要】
【考案が解決しようとする課題】
【０００４】
これらの点を鑑み、本考案は、使用者が顔面の手入れをする際に、使用者の顔面を電子マッサージすることにより、使用者の心身を癒すことができる多機能フェイスマスク及びセットを提供することを目的とする。
【課題を解決するための手段】
【０００５】
上記及びその他の目的を達成するために、本考案は、多機能フェイスマスク、さらにマスクを備える多機能フェイスマスクセットを提供する。その内、多機能フェイスマスクは、使用者の顔面に敷設して用いられるフェイスマスク本体と、相互に分離してフェイスマスク本体に取り付けられる第一導電線と第二導電線と、からなり、マスクによって多機能フェイスマスクの第一導電線と第二導電線に電源を導入することにより、使用者の顔面を選択的に電子マッサージすることができる。
【０００６】
実施例において、この多機能フェイスマスクの第一導電線と第二導電線は、使用者の顔面の二つの攅竹のある位置からそれぞれ延伸して成る導電性シリコン或いは導電性塗料である。
【０００７】
実施例において、この多機能フェイスマスクの第一導電線と第二導電線は、使用者の顔面の二つの攅竹のある位置から左右に向かってそれぞれ延伸した後，さらにそれぞれ上下に向かって延伸し、顔面の輪郭に沿った二つの弧状の線をなすとともに、二つの弧状の線は、相互に交差する複数のほぼ平行な線と連結される。
【０００８】
実施例において、この多機能フェイスマスクの第一導電線と第二導電線は、使用者の顔面の二つの攅竹のある位置から上下に向かってそれぞれ延伸した後，さらにそれぞれ左右に向かって延伸し、相互に交差する複数のほぼ円弧の線となる。
【０００９】
実施例において、この多機能フェイスマスクのフェイスマスク本体には、綿生地、ニット生地、不織布から一つが選ばれる。
【００１０】
実施例において、この多機能フェイスマスクのフェイスマスク本体にはさらに、遠赤外線を放射することができる材料が埋め込まれる。
【００１１】
実施例において、この多機能フェイスマスクのフェイスマスク本体にはさらに、顔面の皮膚に有効な美容液が全体に分布される。
【００１２】
実施例において、この多機能フェイスマスクのフェイスマスク本体表面にはさらに、外観のデザインを美しくできる模様が印刷される。
【００１３】
実施例において、多機能フェイスマスクセットのマスクは、マスク本体と、電源制御装置と、からなる。その内、マスク本体は、第一導電線と第二導電線にそれぞれ対応する少なくとも二つの電極を備え、電源制御装置は、マスク本体の電極に接続され、第一導電線と第二導電線に導入した電源の型式と強度を制御するのに用いられる。
【００１４】
実施例において、多機能フェイスマスクセットのマスクにはさらに、電源制御装置に接続される複数の発光ダイオードが取り付けられる。
【００１５】
実施例において、多機能フェイスマスクセットのマスクにはさらに、複数の北投石が埋め込まれ、これにより理学療法の効果を増進させる。
【００１６】
実施例において、多機能フェイスマスクセットのマスクは、アクリル或いはＡＢＳプラスチック材料によって製作されて成る。
【考案の効果】
【００１７】
上記により、この多機能フェイスマスク及びセットは、使用者の顔面に敷設して用いられるフェイスマスク本体を備えるだけでなく、さらに相互に分離してフェイスマスク本体に取り付けられる第一導電線と第二導電線を備える。これによって、マスクにより多機能フェイスマスクの第一導電線と第二導電線に電源を導入すると、使用者の顔面を選択的に電子マッサージすることができ、使用者が顔面の手入れをする際に、使用者の心身を癒すという目的を達成することができる。
【図面の簡単な説明】
【００１８】
【図１】本考案の実施例１における多機能フェイスマスクの概略図である。
【図２】本考案の実施例２における多機能フェイスマスクの概略図である。
【図３】本考案の好ましい実施例における多機能フェイスマスクセットのマスクの概略図である。
【考案を実施するための形態】
【００１９】
（実施例１）
図１を参照する。これは、本考案の実施例１による多機能フェイスマスクの概略図である。図中の、この多機能フェイスマスク１０は、使用者の顔面に敷設して用いられるフェイスマスク本体１８を備える外、さらに、相互に分離してフェイスマスク本体１８に配置される第一導電線１１と第二導電線１２を備え、第一導電線１１と第二導電線１２によって、エネルギーの強度を選択的に調整できる直流或いは交流式の電源を導入すると、使用者の顔面を、選択的に電子マッサージすることができる。
【００２０】
その内、第一導電線１１と第二導電線１２は、例えば、印刷技術製作によって生成される導電性シリコン或いは導電性塗料であり、フェイスマスク本体１８は、例えば、綿生地、ニット生地、不織布から一つの材料が選ばれて構成される。フェイスマスク本体１８には、使用者の目、口、鼻、に対応した複数の穴１５或いは割線１６が設けられ、それにより、使用者が敷設して使用しやすくなる。フェイスマスク本体１８には、顔面の皮膚に有効な美容液が選択的に全体に分布され、或いは更に、遠赤外線を放射することができる材料が埋め込まれる。そしてフェイスマスク本体１８の表面には、外観のデザインを美しくできる模様が選択的に印刷され、これにより多機能フェイスマスク１０の質感を向上させることができる。
【００２１】
第一導電線１１と第二導電線１２はそれぞれ、使用者の顔面の二つの攅竹がある位置１３からそれぞれ左右に向かって延伸した後、更にそれぞれ上下に向かって延伸し、顔面の輪郭に沿った二つの弧状の線をなすとともに、二つの弧状の線は、相互に交差する複数のほぼ平行な線と連結される。こうした第一導電線１１と第二導電線１２の分布によって、二つの攅竹を含む使用者の顔面の複数のつぼをマッサージすることができ、これにより使用者の偏頭痛、さまざまな頭痛、睡眠障害等を改善し、使用者のストレスを緩和させることができる。
【００２２】
（実施例２）
図２を参照する。これは、本考案の実施例２による多機能フェイスマスクの概略図である。実施例１と同じように、多機能フェイスマスク２０は、使用者の顔面に敷設して用いられるフェイスマスク本体２８を備える外、さらに、相互に分離してフェイスマスク本体２８に配置される第一導電線２１と第二導電線２２を備える。
【００２３】
その内、第一導電線２１と第二導電線２２は、例えば、印刷技術製作によって生成される導電性シリコン或いは導電性塗料であり、フェイスマスク本体２８は、例えば、綿生地、ニット生地、不織布から一つの材料が選ばれて構成される。フェイスマスク本体２８には同様に、使用者の目、口、鼻、に対応した複数の穴２５或いは割線２６が設けられ、それにより、使用者が敷設して使用しやすくなる。フェイスマスク本体２８には、顔面の皮膚に有効な美容液が選択的に全体に分布され、或いは更に、遠赤外線を放射することができる材料が埋め込まれる。そしてフェイスマスク本体２８の表面には、外観のデザインを美しくできる模様が選択的に印刷され、これにより多機能フェイスマスク２０の質感を向上させることができる。
【００２４】
実施例１と異なるのは、多機能フェイスマスク２０の第一導電線２１と第二導電線２２が、使用者の顔面の二つの攅竹がある位置２３からそれぞれ上下に向かって延伸した後、さらにそれぞれ左右に向かって延伸し、相互に交差する複数のほぼ円弧の線となる、という点である。こうした第一導電線２１と第二導電線２２の分布によって、二つの攅竹を含む使用者の顔面の複数のつぼをマッサージすることができ、これにより使用者の偏頭痛、さまざまな頭痛、睡眠障害等を改善し、使用者のストレスを緩和することができる。
【００２５】
（実施例３）
図３を参照する。図３は、本考案の好ましい実施例による多機能フェイスマスクセットのマスクの概略図である。このマスク３０は、図１の多機能フェイスマスク１０或いは図２の多機能フェイスマスク２０と選択的に組み合わせて使用され、図において、マスク３０は、マスク本体３８と電源制御装置３１を備え、マスク本体３８は、使用者の顔面に合わせた立体状を呈する。材質は、弾性を備えたアクリル或いはＡＢＳプラスチックを選んで用いられ、これにより使用者が装着するときの快適性を提供することができる。
【００２６】
マスク本体３８には、使用者の顔面にマスク３０を装着するために用いられるゴムバンド３６が選択的に設けられ、その適切な位置には、使用者の目に対応して開けられた穴３５が設けられ、周囲には、電源制御装置３１に接続された複数の発光ダイオード３２が取り付けられる。マスク本体３８にはさらに、理学療法の効果を増進させるのに用いられる複数の北投石３７が埋め込まれ、表面には、多機能フェイスマスク１０或いは２０の第一導電線１１、２１と第二導電線１２、２２に対応する少なくとも二つの電極３３がそれぞれ設けられ、電極３３は、マスク３０の電源制御装置３１に接続される。こうして電源制御装置３１の電源を多機能フェイスマスク１０或いは２０の第一導電線１１、２１と第二導電線１２、２２に導入することによって、選択的に使用者の顔面をマッサージすることができる。
【００２７】
その内、電源制御装置３１の電源は、本体の中に内蔵されることにより直流電源を提供する電池或いは充電可能な電池にすることができ、また外部接続の家庭用の交流電源でもよい。電源制御装置３１が導入する電極３３の電源は、直流或いは交流式の電源にすることができ、その周波数或いは強度は、使用者が電源控制器３１を操作することによって選択することができる。
【符号の説明】
【００２８】
１０、２０        多機能フェイスマスク
１１、２１        第一導電線
１２、２２        第二導電線
１３、２３        攅竹のある位置
１５、２５、３５  穴
１６、２６        割線
１８、２８        フェイスマスク本体
３０              マスク
３１              電源制御装置
３２              發光ダイオード
３３              電極
３６              ゴムバンド
３７              北投石
３８              マスク本体
【図１】
0003213429.tif 000003
【図２】
0003213429.tif 000004
【図３】
0003213429.tif 000005